(57)【特許請求の範囲】
【請求項１】
内装材に対し隠し框となるように障子が組み込まれ、且つ屋内側に網戸有りの前記障子と網戸無しの前記障子とを選択的に組込み可能な窓枠において、
左右の縦枠材および上下の横枠材を四周枠組みして構成した本体枠と、
前記本体枠の屋内側に装着され、前記内装材との境界を画成すると共に左右の見切り縦枠および上下の見切り横枠を四周枠組みして構成した内装材見切り枠と、を備え、
前記内装材見切り枠は、前記本体枠に装着される装着片と前記内装材との境界を画成する見切り片とで形成され、
且つ前記見切り片の幅が前記内装材の厚みに対応すると共に、前記本体枠に表裏反転して装着した場合の前記内装材見切り枠の両見切り片相互の離間寸法が、前記網戸の厚みに対応していることを特徴とする窓枠。
【請求項２】
前記両縦枠材の少なくとも一方が方立であり、
前記方立は、方立本体と、前記方立本体に締結されると共に前記見切り縦枠が装着される方立アタッチメント枠と、を有し、
前記方立アタッチメント枠は、前記方立本体に対しその延在方向に位置ずれを許容するように締結されていることを特徴とする請求項１に記載の窓枠。
【請求項３】
前記両横枠材の少なくとも一方が無目であり、
前記無目は、無目本体と、前記無目本体に締結されると共に前記見切り横枠が装着される無目アタッチメント枠と、を有し、
前記無目アタッチメント枠は、前記無目本体に対しその延在方向に位置ずれを許容するように締結されていることを特徴とする請求項１または２に記載の窓枠。
【請求項４】
請求項１ないし３のいずれかに記載の窓枠と、
網戸有りの前記障子および網戸無しの前記障子のいずれかと、を備えたことを特徴とする窓。
【請求項５】
前記網戸が、可動網戸で構成されていることを特徴とする請求項４に記載の窓。
【発明の詳細な説明】
【技術分野】
【０００１】
本発明は、内装材に対し隠し框となるように障子が組み込まれる窓枠およびこれを備えた窓に関するものである。
【背景技術】
【０００２】
従来、障子が隠し框となるように障子が組み込まれた窓として、連窓方立で区画した窓枠に、可動障子（すべり出し障子）と嵌め殺し障子とを組み込んだものが知られている（特許文献１）。この窓枠では、障子が隠し框となるように、上枠、下枠および両縦枠の屋内側にそれぞれ見切り中空部が形成されている。そして、障子の各框の内面と、対応する各見切り中空部の内面とが、面一となるように配設されている。
【特許文献１】特開平７−５４５４６号公報
【発明の開示】
【発明が解決しようとする課題】
【０００３】
このような従来の窓枠および窓において、例えば可動障子の屋内側に網戸を組み込む場合、可動障子に対応する見切り中空部と嵌め殺し障子に対応する見切り中空部と、は形状が異なることなり、可動障子の四周枠と嵌め殺し障子の四周枠とは、別形状のものを用意する必要がある。このため、単に網戸の有無により、異なる形状の四周枠を用意しなければならない問題が生ずる。
【０００４】
本発明は、屋内側に設ける網戸の有無に関係なく、隠し框の障子に対し、同一形状の内装材見切り枠でこれに対応させることができる窓枠およびこれを備えた窓を提供することをその課題としている。
【課題を解決するための手段】
【０００５】
本発明の窓枠は、内装材に対し隠し框となるように障子が組み込まれ、且つ屋内側に網戸有りの障子と網戸無しの障子とを選択的に組込み可能な窓枠において、  左右の縦枠材および上下の横枠材を四周枠組みして構成した本体枠と、本体枠の屋内側に装着され、内装材との境界を画成すると共に左右の見切り縦枠および上下の見切り横枠を四周枠組みして構成した内装材見切り枠と、を備え、内装材見切り枠は、本体枠に装着される装着片と内装材との境界を画成する見切り片とで形成され、且つ見切り片の幅が内装材の厚みに対応すると共に、本体枠に表裏反転して装着した場合の内装材見切り枠の両見切り片相互の離間寸法が、網戸の厚みに対応していることを特徴とする。
【０００６】
この構成によれば、網戸無しの障子が組み込まれる本体枠に対し、内装材見切り枠を、その見切り片が見込み方向の屋外側に位置する姿勢で装着すると、見切り片は障子に近接して位置し、これに突き当てた内装材の端も障子に近接して配設することができる。また逆に、本体枠に対し、内装材見切り枠を、その見切り片が見込み方向の屋内側に位置する姿勢で装着すると、見切り片は、障子との間に網戸の厚みに対応する分の間隙を存して対峙し、網戸の設置を許容する。このように、内装材見切り枠を前後（見込み方向）反転して装着することで、網戸有りの障子および網戸無しの障子のいずれにも対応させることができる。なお、内装材見切り枠は、装着片と見切り片とが交差或いは交会する基本形態が好ましく、特に基本断面形状を「Ｌ」字とすることが好ましい。
【０００７】
この場合、両縦枠材の少なくとも一方が方立であり、方立は、方立本体と、方立本体に締結されると共に見切り縦枠が装着される方立アタッチメント枠と、を有し、方立アタッチメント枠は、方立本体に対しその延在方向に位置ずれを許容するように締結されていることが、好ましい。
【０００８】
同様に、両横枠材の少なくとも一方が無目であり、無目は、無目本体と、無目本体に締結されると共に見切り横枠が装着される無目アタッチメント枠と、を有し、無目アタッチメント枠は、無目本体に対しその延在方向に位置ずれを許容するように締結されていることが、好ましい。
【０００９】
これらの構成によれば、方立本体に対しこれに締結された方立アタッチメント枠の延在方向の位置ずれが許容され、また無目本体に対しこれに締結された無目アタッチメント枠の延在方向の位置ずれが許容される。このため、方立本体の熱膨張（熱収縮）は方立アタッチメント枠との締結部分で吸収され、また無目本体の熱膨張（熱収縮）は無目アタッチメント枠との締結部分で吸収される。したがって、内装材見切り枠が、方立本体および無目本体の熱的影響により変形する等を回避することができる。
【００１０】
本発明の窓は、上記した窓枠と、網戸有りの障子および網戸無しの障子のいずれかと、を備えたことを特徴とする。
【００１１】
この構成によれば、共通の内装材見切り枠により、網戸有りの障子および網戸無しの障子のいずれにも対応させることができる。このため、部品種別数を削減することができる。
【００１２】
この場合、網戸が、可動網戸で構成されていることが、好ましい。
【００１３】
この構成によれば、本体枠と内装材見切り枠との間隙に、本体枠とは別に（単体で）可動網戸を設置することができる。このため、網戸有りの障子に対応する窓枠と、網戸無しの障子に対応する窓枠とを同一のもので構成することが可能となる。
【発明の効果】
【００１４】
以上のように、本発明の窓枠および窓によれば、屋内側に設ける網戸の有無に関わらず、隠し框の障子に対し、同一形状の内装材見切り枠でこれに対応させることができる。
【発明を実施するための最良の形態】
【００１５】
以下、添付図面を参照して、本発明の一実施形態に係る窓枠を適用した窓について説明する。図１の姿図に示すように、窓１は、３連２段の連段窓形式のものであり、上段には中間のフィックス窓と両側の縦すべり出し窓或いは横すべり出し窓が構成され、下段には３つのフィックス窓が構成されている。具体的には、窓１は、上枠４、下枠５および両縦枠６，６を枠組みした窓枠本体３に、２本の方立７および１本の無目８を組み込んで６つの開口部９を形成した窓枠２を備えている。また、この窓１は、上段の３つの開口部９，９，９に、屋内視左側から縦すべり出し障子１１、縦長フィックス障子１３、横すべり出し障子１２が装着され、下段の３つの開口部９，９，９に、すべてフィックス障子１４が装着されている。さらに、縦すべり出し障子１１および横すべり出し障子１２の屋内側には、それぞれ可動網戸１５，１５が装着されている（図２および図３参照）。そして、この窓１は、いずれも障子が隠し框の形態を有しており、屋内側から見ると、各開口部９には内装材（額縁）Ｓ越しに窓ガラスのみが見えるようになっている（図１（ｂ）参照）。
【００１６】
図１ないし図４に示すように、縦すべり出し障子１１は、四周框組みした框体２１と、これに組み込んだ複層ガラス２２と、框体２１の左部上面に設けた上ヒンジ部材２３と、框体２１の左部下面に設けた下ヒンジ部材２４と、縦すべり出し障子１１を開閉操作させる図外のリンクアームおよび操作ハンドルと、を備えている。操作ハンドルを一方向に回転させることで、リンクアームを介して縦すべり出し障子１１が、右方に幾分スライドしながら屋外側に所定の角度をもって開放（右部開放）する。同様に、横すべり出し障子１２は、四周框組みした框体２６と、これに組み込んだ複層ガラス２７と、框体２６の上部左側面に設けた左ヒンジ部材２８と、框体２６の上部右側面に設けた右ヒンジ部材（図示省略）と、横すべり出し障子１２を開閉操作させる図外のリンクアームおよび操作ハンドルと、を備えている。操作ハンドルを一方向に回転させることで、リンクアームを介して横すべり出し障子１２が、下方に幾分スライドしながら屋外側に所定の角度をもって開放（下部開放）する。なお、図中の符号２５および３０は、閉塞状態の縦すべり出し障子１１および横すべり出し障子１２をそれぞれ窓枠にロックするロックハンドルである。
【００１７】
縦長フィックス障子１３と３つのフィックス障子１４とは、大きさは異なるが同一の基本形態を有している。そこで、以下、フィックス障子１４について説明し、縦長フィックス障子１３の説明は省略する。各フィックス障子１４は、四周框組みした框体３１と、これに組み込んだ複層ガラス３２と、を備えている。框体３１は、框体本体３４と、上押し縁３５および両縦押し縁３６，３６とを有すると共に、両縦押し縁３６，３６に対応して、両縦押し縁３６，３６の屋内側直近に設けた左右一対の押し縁アタッチメント３７，３７を有している。
【００１８】
各可動網戸１５は、四周枠組みした網戸枠４６に折込み網体４７を組み込んで、構成されている。この場合、可動網戸１５は、独自の網戸枠４６を有しており、縦すべり出し障子１１や横すべり出し障子１２の枠体（窓枠２）の屋内側に添設するように配置されている。また、詳細は後述するが、可動網戸１５の屋内側には、隠し框を強調すべく内装材（外向き見切り枠５１）Ｓが近接して配置されている。
【００１９】
図１ないし図４に示すように、窓枠２は、上枠４、下枠５および両縦枠６，６から成る窓枠本体３と、等間隔に鉛直に配設した２本の方立７，７と、２本の方立７，７に直交するように水平に配設した１本の無目８と、を備えている。また、窓枠２は、各可動網戸１５を縁取るように設けた上段左右の２つの外向き見切り枠（内装材見切り枠）５１と、縦長フィックス障子１３に面して設けた上段中間の内向き見切り枠（内装材見切り枠）５２と、各フィックス障子１４に面して設けた下段の３つの下見切り枠（内装材見切り枠）５３と、を備えている。さらに、窓枠２は、各方立７の背面（屋内側）に縦通しで添設した２つの方立アタッチメント枠５４と、無目８の背面（屋内側）に添設した３分割の無目アタッチメント枠５５と、を備えている。そして、方立アタッチメント枠５４および無目アタッチメント枠５５は、内装材Ｓを支持する心材Ｔにねじ止めされている。
【００２０】
図２ないし図４に示すように、上枠４は、横長方形の中空形状を有する上枠本体６１と、上枠本体６１の屋外側から上側にオフセットするようにして突出した上枠装飾突出部６２と、上枠本体６１の屋内側から垂下し下部を断面逆「Ｕ」字状に形成した上見切り枠装着受け部６３と、で一体に形成されている。同様に、下枠５は、横長方形の中空形状を有する下枠本体６５と、下枠本体６５の屋外側から下側にオフセットするようにして突出した下枠装飾突出部６６と、下枠本体６５の屋内側から立ち上がり上部を断面「Ｕ」字状に形成した下見切り枠装着受け部６７と、で一体に形成されている。
【００２１】
また、各縦枠６は、断面「Ｌ」字状に形成した縦枠本体７１と、縦枠本体７１の屋外側から前方に突出した縦枠装飾突出部７２と、縦枠本体７１の屋内側から見付け方向内側に突出し先端部を断面逆「Ｕ」字状に形成した縦見切り枠装着受け部７３と、で一体に形成されている。そしてこの場合、上枠装飾突出部６２、下枠装飾突出部６６および両縦枠装飾突出部７２，７２はそれぞれモール状に形成され、その屋外側半部が外壁面Ｗから同寸法突出するようにそれぞれ配設されている。また、上枠４、下枠５、縦枠６のいずれもが、障子との間で屋外側および屋内側の２箇所のシール材７５を介して水密に接触している。
【００２２】
各方立７は、断面略「Ｔ」字状の方立本体８１と、方立本体８１の屋外側に添設した鉛直通し部８２と、を備えている。方立本体８１は、屋内側を開放した断面「Ｃ」字状の方立フランジ部８４と、方立フランジ部８４の屋外側から見込み方向前方に延びる中空形状の方立リブ部８５と、で一体に形成されている。方立リブ部８５の屋外側端部には、段部を介して幾分幅狭に形成した嵌合凸部８６が形成され、この嵌合凸部８６に鉛直通し部８２が接合されている。鉛直通し部８２は、上枠４と下枠５との間に継ぎ目無く通しで設けられており、中空の鉛直モール部８８と、鉛直モール部８８の左右２辺を屋内側の延長するように形成した嵌合凹部８９と、で一体に形成されている。そして、この嵌合凹部８９に、方立リブ部８５の嵌合凸部８６が嵌合し且つねじ止めすることにより、方立本体８１に鉛直通し部８２が取り付けられている。
【００２３】
一方、図５に示すように、方立本体８１には無目（無目本体１０１）８との接合部となる接合切欠き部９０が形成されている。この場合の接合切欠き部９０は、無目８の断面形状に合わせて方立本体８１を完全に切断して構成されており、加えて鉛直通し部８２の嵌合凹部８９もこの部分の無目８の断面形状に合わせて一部が切り欠かれている。これにより、方立本体８１と無目（無目本体１０１）８とが、十字状に接合されている。
【００２４】
図２ないし図４に示すように、方立アタッチメント枠５４は、上記の接合切欠き部９０に対応する部分で分断されており、方立本体８１の方立フランジ部８４を屋内側から覆うように断面「Ｕ」字状に形成した枠本体９２と、枠本体９２の両辺から外側に突出した一対の装着受け部９３，９３と、で一体に形成されている。各装着受け部９３は、先端を外側に屈曲させて対面する２枚の突出片９３ａ，９３ａで構成されており、この各装着受け部９３には、上記の外向き見切り枠５１、内向き見切り枠５２、下見切り枠５３のいずれかが装着されるようになっている（詳細は後述する）。
【００２５】
また、各装着受け部９３を構成する２枚の突出片９３ａ，９３ａの間に位置して枠本体９２には、方立アタッチメント枠５４を方立フランジ部８４にねじ止めするための長穴（複数）９４が形成されている。すなわち、枠本体９２には、その延在方向（上下方向に）に長い長穴９４が形成され、またこの長穴９４に対応して方立フランジ部８４にねじ穴が形成されており、この長穴９４を貫通してねじ穴にビス９５が螺合している。この長穴９４により、外気温の影響（温度差が大きい）を受けて熱膨張或いは熱収縮する方立フランジ部８４の膨張力或いは収縮力を逃がし、室温の影響（温度差が小さい）を受ける方立アタッチメント枠５４に無用な外力が作用しないようにしている。
【００２６】
図２ないし図４に示すように、無目８は、断面略「Ｔ」字状の無目本体１０１と、２本の方立７，７により分断されるようにして無目本体１０１の屋外側に添設された３つの水平ピース１０２と、を備えている。無目本体１０１は、両縦枠６，６間に継ぎ目無く通しで設けられており、屋内側を開放した断面「Ｃ」字状の無目フランジ部１０４と、無目フランジ部１０４から屋外側に延びる上中空部１０６および下中空部１０７から成る無目リブ部１０５と、で一体に形成されている。この場合、無目フランジ部１０４の上部屋外側面は、上中空部１０６から立ち上がって水返し部１０４ａを構成している。
【００２７】
中空部１０７の屋外側端部には、装着あり溝１０８が形成されており、この装着あり溝１０８に各水平ピース１０２が装着されている。各水平ピース１０２は、中空の水平モール部１１１と、水平モール部１１１の上下２辺を屋内側に鏃状に延長するように形成した装着フック部１１２と、で一体に形成されており、この装着フック部１１２を無目リブ部１０５の装着あり溝１０８にプッシュイン形式で係止することで、無目本体１０１に各水平ピース１０２が装着されている。
【００２８】
無目アタッチメント枠５５は、方立アタッチメント枠５４と同様に、無目本体１０１の無目フランジ部１０４を屋内側から覆うように断面「Ｕ」字状に形成した枠本体１１６と、枠本体１１６の両辺から外側に突出した一対の装着受け部１１７，１１７と、で一体に形成されている。各装着受け部１１７は、先端を外側に屈曲させて対面する２枚の突出片１１７ａ，１１７ａで構成されており、この各装着受け部１１７には、上記の外向き見切り枠５１、内向き見切り枠５２、下見切り枠５３のいずれかが装着されるようになっている（詳細は後述する）。この場合も、２枚の突出片１１７ａ，１１７ａの間に位置して枠本体１１６には、無目アタッチメント枠５５を無目フランジ部１０４にねじ止めするための長穴（複数）１１８が形成されている。また、無目アタッチメント枠５５は、上記の接合切欠き部９０に対応する部分で分断されている。
【００２９】
なお、方立７の鉛直通し部８２および無目８の各水平ピース１０２は、上記の上枠装飾突出部６２、下枠装飾突出部６６および縦枠装飾突出部７２と同様に、モール状に形成されており、且つ外壁面Ｗから同一寸法で突出している。これにより、窓枠２は、モール状の縦横のラインが強調された外観意匠となっている（図１（ａ）参照）。また、方立７および無目８も、窓枠本体３と同様に、障子との間で屋外側および屋内側の２箇所のシール材７５を介して水密に接触している。
【００３０】
一方、各可動網戸１５に対応して設けた外向き見切り枠５１と、縦長フィックス障子１３に面して設けた内向き見切り枠５２とは、同一形状および同一構造の見切り枠を表裏反転して設置されている。また、内向き見切り枠５２と、各フィックス障子１４に面して設けた下見切り枠５３とは、縦横の寸法は異なるもの同一構造の見切り枠を同一設置形態で設置している。そこで、以下これらの構造については外向き見切り枠５１を例に説明し、設置形態については外向き見切り枠５１および内向き見切り枠５２を例に説明する。
【００３１】
図２ないし図４、および図６に示すように、外向き見切り枠５１は、内装材Ｓとの境界を画成するものであり、左右の見切り縦枠１２１，１２１と上下の見切り横枠１２２，１２２とを四周枠組みして、構成されている。各見切り縦枠１２１および各見切り横枠１２２は、いずれも同一の断面形状を有しており、外面に「ハ」字状の係止部１２５を有する装着片１２４と、内装材Ｓとの境界を画成する見切り片１２６と、で断面略「Ｌ」字状に一体に形成されている（図６参照）。この場合、一方の見切り縦枠１２１の装着片１２４は、縦枠６の縦見切り枠装着受け部７３に、他方の見切り縦枠１２１の装着片１２４は、方立アタッチメント枠５４の装着受け部９３に、それぞれ係止され、上側の見切り横枠１２２は、上枠４の上見切り枠装着受け部６３に、下側の見切り横枠１２２は、無目アタッチメント枠５５の装着受け部１１７に、それぞれ係止されている。
【００３２】
一方、各見切り縦枠１２１および各見切り横枠１２２における各装着片１２４の幅は、可動網戸１５の厚みに対応し、見切り片１２６の幅は、内装材Ｓの厚みに対応している。すなわち、外向き見切り枠５１の屋外側には、装着片１２４の幅内に可動網戸（網戸枠４６）１５が納まっており、屋内側には、内装材Ｓの端面が突き当てられ、その見切り片１２６の内端面と内装材Ｓの外面とが面一に、且つ縦すべり出し障子１１或いは横すべり出し障子１２の框体２１，２６の内端面とが面一に配設されている。これにより、框体２１，２６や網戸枠４６との間に大きな空間が生ずることがなく、隠し框の意匠が損なわれることがない。
【００３３】
内向き見切り枠５２は、上記の外向き見切り枠５１を表裏（屋内外）反転して組み込んだものであり、可動網戸１５の厚み分見付け方向に長い内装材Ｓが、見切り片１２６に突き当られるように設けられている。この場合も、見切り片１２６の内端面と内装材Ｓの外面とが面一に、且つ縦すべり出し障子１１或いは横すべり出し障子１２の框体２１，２６の内端面とが面一に配設されている。これにより、框体２１，２６との間に大きな空間が生ずることがなく、隠し框の意匠が損なわれることがない。
【００３４】
なお、本実施形態の各装着片１２４の装着構造を、「ハ」字状の係止部１２５に枠装着受け部６３（１１７）の２枚の突出片６３ａ，６３ａ（１１７ａ，１１７ａ）に嵌め入れる形態としたが、逆に２枚の突出片６３ａ，６３ａに係止部１２５を嵌め入れる形態であってもよい。さらには、係止部を球形の頭部を有する舌片とし、枠装着受け部を二股の受け片で構成することも可能である。一方、本実施形態の各装着片１２４の幅は、可動網戸１５の厚みに対応しているが、外向き見切り枠５１を表裏反転して装着した状態で見切り片１２６が所定の位置に来ればよい。例えば、装着位置を変えずに（但し装着構造は変更する）上記の各装着片１２４の略半分の幅としてもよい。
【００３５】
このように、外向き見切り枠５１と内向き見切り枠５２とを、可動網戸１５および内装材Ｓを考慮して断面「Ｌ」字状に形成することのより、部品構成を共通化することができると共に、隠し框の意匠を損なうことなく、可動網戸１５および内装材Ｓの収まりを良好にすることができる。
【図面の簡単な説明】
【００３６】
【図１】実施形態に係る窓の屋外姿図（ａ）および屋内姿図（ｂ）である。
【図２】第２の窓の縦すべり出し窓位置における縦断面図である。
【図３】第２の窓の上段における横断面図である。
【図４】第２の窓の横すべり出し窓位置における部分縦断面図である。
【図５】方立と無目の接合状態を表した斜視図である。
【図６】外向き見切り枠の斜視図である。
【符号の説明】
【００３７】
１…窓  ２…窓枠  ３…窓枠本体  ４…上枠  ５…下枠  ６…縦枠  ７…方立  ８…無目  １１…縦すべり出し障子  １２…横すべり出し障子  １３…縦長フィックス障子  １４…フィックス障子  １５…可動網戸  ４６…網戸枠  ５１…外向き見切り枠  ５２…内向き見切り枠  ５３…下見切り枠  ５４…方立アタッチメント枠  ５５…無目アタッチメント枠  ６３…上見切り枠装着受け部  ６７…下見切り枠装着受け部  ７３…縦見切り枠装着受け部  ８１…方立本体  ８４…方立フランジ部  ９２…枠本体  ９３…装着受け部  ９４…長穴  ９５…ビス  １０１…無目本体  １０４…無目フランジ部  １１６…枠本体  １１７…装着受け部  １１８…長穴  １２１…見切り縦枠  １２２…見切り横枠  １２４…装着片  １２６…見切り片  Ｓ…内装材
【図１】
0004549249.tif 000002
【図２】
0004549249.tif 000003
【図３】
0004549249.tif 000004
【図４】
0004549249.tif 000005
【図５】
0004549249.tif 000006
【図６】
0004549249.tif 000007